(57)【要約】【課題】  ジャムの発生を従来より低減することができる画像形成装置を提供する。【解決手段】  複合機は、用紙を載置するＭＰＴと、用紙を搬送するプリンタと、ＭＰＴに載置中の用紙のサイズを検知する幅センサおよび長尺センサと、利用者による用紙のサイズの指定を受け付けるとともに、プリンタによって搬送される用紙のサイズである搬送サイズを判定する制御部とを備えており、制御部は、幅センサおよび長尺センサによって検知されたサイズである検知サイズと、制御部によって受け付けられたサイズである指定サイズとの何れか一方を所定のルール（Ｓ６１、Ｓ６３、Ｓ６５）に基づいて搬送サイズとして判定する（Ｓ６２、Ｓ６４）ことを特徴とする。【選択図】  図７
2011075667.tif 000002
【特許請求の範囲】
【請求項１】
用紙を載置する用紙トレイと、前記用紙を搬送する搬送手段と、前記用紙トレイに載置中の前記用紙のサイズを検知する用紙サイズ検知手段と、利用者による前記用紙のサイズの指定を受け付けるサイズ指定受付手段と、前記搬送手段によって搬送される前記用紙のサイズである搬送サイズを判定する用紙サイズ判定手段とを備えており、
前記用紙サイズ判定手段は、前記用紙サイズ検知手段によって検知された前記サイズである検知サイズと、前記サイズ指定受付手段によって受け付けられた前記サイズである指定サイズとの何れか一方を所定のルールに基づいて前記搬送サイズとして判定することを特徴とする画像形成装置。
【請求項２】
前記検知サイズと、前記指定サイズとの対応関係を記憶する対応関係記憶手段を備えており、
前記所定のルールは、前記検知サイズと、前記指定サイズとが前記対応関係記憶手段に記憶された前記対応関係であるときに、前記指定サイズを前記搬送サイズとするルールを含んでいることを特徴とする請求項１に記載の画像形成装置。
【請求項３】
前記用紙サイズ検知手段は、前記用紙の搬送方向に直交する方向である搬送直交方向における前記用紙の長さを検知する搬送直交方向長検知手段と、前記用紙の搬送方向における前記用紙の長さを検知する搬送方向長検知手段とを備えており、
前記所定のルールは、前記搬送直交方向長検知手段によって検知された前記長さと、前記指定サイズの前記用紙の前記搬送直交方向の長さとが同一であって、前記搬送方向長検知手段の機能が停止しているときに、前記指定サイズを前記搬送サイズとするルールを含んでいることを特徴とする請求項１または請求項２に記載の画像形成装置。
【請求項４】
前記用紙トレイは、前記搬送直交方向に直交する方向に伸縮可能であり、
前記搬送方向長検知手段は、前記用紙トレイが縮められているときに前記機能が停止することを特徴とする請求項３に記載の画像形成装置。
【請求項５】
前記用紙サイズ検知手段は、前記用紙の搬送方向に直交する方向である搬送直交方向における前記用紙の長さを検知する搬送直交方向長検知手段と、前記用紙の存在を検知することによって前記用紙の搬送方向における前記用紙の長さを検知する搬送方向長検知手段とを備えており、
前記所定のルールは、前記搬送直交方向長検知手段によって検知された前記長さと、前記指定サイズの前記用紙の前記搬送直交方向の長さとが同一であって、前記搬送方向長検知手段によって検知された前記長さより、前記指定サイズの前記用紙の前記搬送方向の長さが短いときに、前記検知サイズを前記搬送サイズとするルールを含んでいることを特徴とする請求項１または請求項２に記載の画像形成装置。
【請求項６】
用紙を載置する用紙トレイと、前記用紙を搬送する搬送手段とを備えている画像形成装置の用紙サイズ判定方法であって、
前記用紙トレイに載置中の前記用紙のサイズを前記画像形成装置が検知し、利用者による前記用紙のサイズの指定を前記画像形成装置が受け付け、前記搬送手段によって搬送される前記用紙のサイズである搬送サイズを前記画像形成装置が判定し、
前記画像形成装置は、検知した前記サイズである検知サイズと、受け付けた前記サイズである指定サイズとの何れか一方を所定のルールに基づいて前記搬送サイズとして判定することを特徴とする用紙サイズ判定方法。
【発明の詳細な説明】
【技術分野】
【０００１】
本発明は、用紙のサイズを判定する画像形成装置および用紙サイズ判定方法に関する。
【背景技術】
【０００２】
従来、用紙のサイズを判定する画像形成装置として、搬送中の用紙の主走査方向の長さを検知するラインセンサを備えているものが知られている（例えば、特許文献１参照。）。
【先行技術文献】
【特許文献】
【０００３】
【特許文献１】特開２００７−１３１３８５号公報
【発明の概要】
【発明が解決しようとする課題】
【０００４】
しかしながら、従来の画像形成装置においては、搬送経路におけるラインセンサより上流において用紙のサイズを判定することができないので、搬送経路におけるラインセンサより上流において、用紙を誤ったサイズで認識して搬送する可能性がある。画像形成装置は、用紙を誤ったサイズで認識して搬送する場合には、内部での用紙の詰まり、すなわちジャムが発生する可能性がある。
【０００５】
そこで、本発明は、ジャムの発生を従来より低減することができる画像形成装置を提供することを目的とする。
【課題を解決するための手段】
【０００６】
本発明の画像形成装置は、用紙を載置する用紙トレイと、前記用紙を搬送する搬送手段と、前記用紙トレイに載置中の前記用紙のサイズを検知する用紙サイズ検知手段と、利用者による前記用紙のサイズの指定を受け付けるサイズ指定受付手段と、前記搬送手段によって搬送される前記用紙のサイズである搬送サイズを判定する用紙サイズ判定手段とを備えており、前記用紙サイズ判定手段は、前記用紙サイズ検知手段によって検知された前記サイズである検知サイズと、前記サイズ指定受付手段によって受け付けられた前記サイズである指定サイズとの何れか一方を所定のルールに基づいて前記搬送サイズとして判定することを特徴とする。
【０００７】
この構成により、本発明の画像形成装置は、用紙トレイに載置中に検知された用紙のサイズ、すなわち用紙の搬送前に検知された用紙のサイズに基づいて搬送サイズを判定するので、ジャムの発生を従来より低減することができる。
【０００８】
また、本発明の画像形成装置は、前記検知サイズと、前記指定サイズとの対応関係を記憶する対応関係記憶手段を備えており、前記所定のルールは、前記検知サイズと、前記指定サイズとが前記対応関係記憶手段に記憶された前記対応関係であるときに、前記指定サイズを前記搬送サイズとするルールを含んでいることが好ましい。
【０００９】
用紙サイズ検知手段によって正しく検知できないサイズがサイズ指定受付手段によって受け付けられることができる場合、検知サイズと、指定サイズとが異なるときであっても、両者が略同等であるときには、そもそも用紙サイズ検知手段によって正しく検知できないサイズがサイズ指定受付手段によって受け付けられただけである可能性がある。本発明の画像形成装置は、検知サイズと、指定サイズとが対応関係記憶手段に記憶された対応関係であるときに、指定サイズを搬送サイズとするので、そもそも用紙サイズ検知手段によって正しく検知できないサイズがサイズ指定受付手段によって受け付けられた場合に、指定サイズを搬送サイズとすることができる。したがって、本発明の画像形成装置は、ジャムの発生を抑えることができる。
【００１０】
また、本発明の画像形成装置の前記用紙サイズ検知手段は、前記用紙の搬送方向に直交する方向である搬送直交方向における前記用紙の長さを検知する搬送直交方向長検知手段と、前記用紙の搬送方向における前記用紙の長さを検知する搬送方向長検知手段とを備えており、前記所定のルールは、前記搬送直交方向長検知手段によって検知された前記長さと、前記指定サイズの前記用紙の前記搬送直交方向の長さとが同一であって、前記搬送方向長検知手段の機能が停止しているときに、前記指定サイズを前記搬送サイズとするルールを含んでいることが好ましい。
【００１１】
搬送方向長検知手段の機能が停止している場合、用紙サイズ検知手段は、正しいサイズで用紙を検知することができない。本発明の画像形成装置は、搬送方向長検知手段の機能が停止しているときに、指定サイズを搬送サイズとするので、正しいサイズで用紙を認識することができる。したがって、本発明の画像形成装置は、ジャムの発生を抑えることができる。
【００１２】
また、本発明の画像形成装置の前記用紙トレイは、前記搬送直交方向に直交する方向に伸縮可能であり、前記搬送方向長検知手段は、前記用紙トレイが縮められているときに前記機能が停止することが好ましい。
【００１３】
用紙トレイが縮められているとき、用紙トレイには、搬送方向における長さが短い用紙が載置されている可能性が高い。しかしながら、用紙トレイが縮められているときであっても、用紙トレイには、搬送方向における長さが長い用紙が、搬送方向における長さの一部が用紙トレイからはみ出した状態で、載置されている可能性もある。本発明の画像形成装置は、用紙トレイが縮められているときに搬送方向長検知手段の機能が停止し、その結果、指定サイズを搬送サイズとするので、正しいサイズで用紙を認識することができる。したがって、本発明の画像形成装置は、ジャムの発生を抑えることができる。
【００１４】
また、本発明の画像形成装置の前記用紙サイズ検知手段は、前記用紙の搬送方向に直交する方向である搬送直交方向における前記用紙の長さを検知する搬送直交方向長検知手段と、前記用紙の存在を検知することによって前記用紙の搬送方向における前記用紙の長さを検知する搬送方向長検知手段とを備えており、前記所定のルールは、前記搬送直交方向長検知手段によって検知された前記長さと、前記指定サイズの前記用紙の前記搬送直交方向の長さとが同一であって、前記搬送方向長検知手段によって検知された前記長さより、前記指定サイズの前記用紙の前記搬送方向の長さが短いときに、前記検知サイズを前記搬送サイズとするルールを含んでいることが好ましい。
【００１５】
搬送方向長検知手段が用紙の存在を検知することによって用紙の搬送方向における用紙の長さを検知する場合、用紙の搬送方向における用紙の実際の長さは、搬送方向長検知手段によって検知された長さより短い可能性が低い。本発明の画像形成装置は、搬送方向長検知手段が用紙の存在を検知することによって用紙の搬送方向における用紙の長さを検知し、搬送方向長検知手段によって検知された長さより、指定サイズの用紙の搬送方向の長さが短いときに、検知サイズを搬送サイズとするので、正しいサイズで用紙を認識することができる。したがって、本発明の画像形成装置は、ジャムの発生を抑えることができる。
【００１６】
本発明の用紙サイズ判定方法は、用紙を載置する用紙トレイと、前記用紙を搬送する搬送手段とを備えている画像形成装置の用紙サイズ判定方法であって、前記用紙トレイに載置中の前記用紙のサイズを前記画像形成装置が検知し、利用者による前記用紙のサイズの指定を前記画像形成装置が受け付け、前記搬送手段によって搬送される前記用紙のサイズである搬送サイズを前記画像形成装置が判定し、前記画像形成装置は、検知した前記サイズである検知サイズと、受け付けた前記サイズである指定サイズとの何れか一方を所定のルールに基づいて前記搬送サイズとして判定することを特徴とする。
【００１７】
この構成により、本発明の用紙サイズ判定方法を実行する画像形成装置は、用紙トレイに載置中に検知された用紙のサイズ、すなわち用紙の搬送前に検知された用紙のサイズに基づいて搬送サイズを判定するので、ジャムの発生を従来より低減することができる。
【発明の効果】
【００１８】
本発明の画像形成装置は、ジャムの発生を従来より低減することができる。
【図面の簡単な説明】
【００１９】
【図１】本発明の一実施の形態に係るコンピュータネットワークのシステム構成を示すブロック図である。
【図２】図１に示す複合機の構成を示すブロック図である。
【図３】図２に示す記憶部に記憶されているサイズテーブルを示す図である。
【図４】図１に示す複合機のＭＰＴの平面図であって、（ａ）はＭＰＴが縮められている状態を示す図であり、（ｂ）はＭＰＴが伸ばされている状態を示す図である。
【図５】図２に示す長尺センサの状態を示す図である。
【図６】図１に示す複合機のＭＰＴの平面図であって、（ａ）はＭＰＴが伸ばされている状態を示す図であり、（ｂ）はＭＰＴが縮められている状態を示す図である。
【図７】印刷を継続するときの図１に示す複合機の動作のフローチャートである。
【図８】印刷を継続するときの図１に示す複合機の動作のフローチャートであって、図７に示す例とは異なる例の図である。
【発明を実施するための形態】
【００２０】
以下、本発明の一実施の形態について、図面を用いて説明する。
【００２１】
なお、本実施の形態において、用紙のサイズに関して「Ａ３」、「Ａ４」、「１６Ｋ」とは、それぞれ２９７ｍｍ×４２０ｍｍ、２１０ｍｍ×２９７ｍｍ、１９７ｍｍ×２７３ｍｍのサイズである。また、用紙のサイズに関して「縦」とは、用紙の長辺の延在方向を用紙の搬送方向とした状態のサイズを表し、用紙のサイズに関して「横」とは、用紙の短辺の延在方向を用紙の搬送方向とした状態のサイズを表す。例えば、「Ａ４縦」とは、長辺である２９７ｍｍの辺の延在方向を用紙の搬送方向としたＡ４のサイズを表し、「Ａ４横」とは、短辺である２１０ｍｍの辺の延在方向を用紙の搬送方向としたＡ４のサイズを表す。
【００２２】
まず、本実施の形態に係るコンピュータネットワークの構成について説明する。
【００２３】
図１は、本実施の形態に係るコンピュータネットワーク１０のシステム構成を示すブロック図である。
【００２４】
図１に示すように、コンピュータネットワーク１０は、本発明の画像形成装置としての複合機２０と、複合機２０に印刷させるデータを複合機２０に送信したり複合機２０によって読み取られたデータを受信したりするホストコンピュータ４０とを備えている。複合機２０およびホストコンピュータ４０は、互いに通信可能な状態でＬＡＮ（Ｌｏｃａｌ  Ａｒｅａ  Ｎｅｔｗｏｒｋ）１１に接続されている。
【００２５】
図２は、複合機２０の構成を示すブロック図である。
【００２６】
図２に示すように、複合機２０は、装置全体を制御する制御部２１と、種々の情報を記憶する記憶部２２と、利用者によって種々の操作が入力される操作パネル上の操作部２３と、種々の情報を表示する操作パネル上のモニタ２４と、ホストコンピュータ４０などの外部の装置とＬＡＮ１１を介して通信を行うための通信部２５と、画像を読み取るスキャナ２６と、画像を印刷するプリンタ２７と、プリンタ２７によって印刷が実行される用紙の搬送方向に直交する方向である搬送直交方向における用紙の長さ（以下「幅」という。）を検知する搬送直交方向長検知手段としての幅センサ２８と、用紙の存在を検知することによって用紙の搬送方向における用紙の長さを検知する搬送方向長検知手段としての長尺センサ２９とを備えている。
【００２７】
制御部２１は、例えば、ＣＰＵ（Ｃｅｎｔｒａｌ  Ｐｒｏｃｅｓｓｉｎｇ  Ｕｎｉｔ）や、ＣＰＵが実行するプログラムが記憶されたＲＯＭ（Ｒｅａｄ  Ｏｎｌｙ  Ｍｅｍｏｒｙ）などから構成されている。モニタ２４は、例えばＬＣＤ（Ｌｉｑｕｉｄ  Ｃｒｙｓｔａｌ  Ｄｉｓｐｌａｙ）などから構成されている。操作部２３は、モニタ２４とともにタッチパネルを形成するボタンや、操作パネル上のボタンなどから構成されている。記憶部２２は、例えばハードディスクなどから構成されている。プリンタ２７は、用紙に印刷を行うために用紙の搬送も行うようになっており、本発明の搬送手段を構成している。
【００２８】
ここで、利用者がホストコンピュータ４０から印刷の指示をＬＡＮ１１を介して複合機２０に送信すると、複合機２０の制御部２１は、ホストコンピュータ４０からの指示を通信部２５を介して受信する。この指示には、印刷が行われる用紙について利用者によるサイズの指定の情報が含まれている。また、利用者が複合機２０の操作部２３を操作して原稿の複写を行う場合にも、制御部２１は、印刷が行われる用紙について利用者によるサイズの指定の情報を操作部２３から受け付ける。このように、制御部２１は、利用者による用紙のサイズの指定を受け付けるようになっており、本発明のサイズ指定受付手段を構成している。
【００２９】
また、記憶部２２は、図３に示すように、幅センサ２８および長尺センサ２９によって検知された用紙のサイズ（以下「検知サイズ」という。）と、制御部２１によって受け付けられた用紙のサイズ（以下「指定サイズ」という。）との対応関係を示すサイズテーブル２２ａを記憶しており、本発明の対応関係記憶手段を構成している。対応関係としては、検知サイズおよび指定サイズが互いに近似しているものが記憶されている。どのような対応関係を記憶するかは、設計次第である。
【００３０】
図４は、複合機２０のＭＰＴ（Ｍｕｌｔｉ  Ｐｕｒｐｏｓｅ  Ｔｒａｙ）３０の平面図であって、（ａ）はＭＰＴ３０が縮められている状態を示す図であり、（ｂ）はＭＰＴ３０が伸ばされている状態を示す図である。図４には、Ａ４縦の用紙３９ａと、Ａ３縦の用紙３９ｂとが示されている。
【００３１】
複合機２０は、図４に示すように、用紙を載置する用紙トレイとしてＭＰＴ３０を備えている。ＭＰＴ３０は、複合機２０の前面の外部などに設けられている。例えば、ＭＰＴ３０は、複合機２０に内蔵された用紙トレイにセットされている用紙と異なるサイズの用紙に印刷が行われる必要があるときなどに一時的に使用されることがある。
【００３２】
ＭＰＴ３０は、矢印３０ａで示す用紙の搬送方向における用紙の移動を案内するためのガイド３１と、矢印３０ａで示す方向とは反対方向に引き出し可能な延長部３２とを備えている。ＭＰＴ３０は、延長部３２が引き出されているときに伸び、延長部３２が収納されていているときに縮むようになっている。すなわち、ＭＰＴ３０は、矢印３０ｂで示す用紙の搬送直交方向に直交する方向に延長部３２によって伸縮可能である。ＭＰＴ３０に載置された用紙は、プリンタ２７（図２参照。）の給紙口２７ａからプリンタ２７の内部に引き込まれ、プリンタ２７によって搬送されて印刷が行われる。
【００３３】
ＭＰＴ３０は、図４（ａ）に示すように縮められている状態では、Ａ４縦の用紙３９ａについては全体を載置することができるが、Ａ３縦の用紙３９ｂについては一部を載置することができない。ＭＰＴ３０は、図４（ｂ）に示すように伸ばされている状態では、Ａ３縦の用紙３９ｂについても全体を載置することができる。
【００３４】
ガイド３１は、ＭＰＴ３０に載置される用紙に対して矢印３０ｂで示す用紙の搬送直交方向における両側に配置されており、ＭＰＴ３０に載置される用紙のサイズに合わせて、ガイド溝３１ａに沿って矢印３０ｂで示す方向に利用者によって移動させられることができるようになっている。そして、幅センサ２８は、矢印３０ｂで示す方向におけるガイド３１の位置に応じて、矢印３０ｂで示す搬送直交方向における用紙の幅を検知するようになっている。
【００３５】
延長部３２には、長尺センサ２９が設置されている。長尺センサ２９は、例えば接触式センサや光学センサなどから構成されており、用紙の存在を検知することによって用紙の搬送方向における用紙の長さを検知するようになっている。つまり、長尺センサ２９は、図４（ｂ）に示すように延長部３２が引き出されている場合、Ａ４縦の用紙３９ａについては検知することができないが、Ａ３縦の用紙３９ｂについては検知することができる。また、長尺センサ２９は、図４（ａ）に示すように延長部３２が収納されている場合、例えば制御部２１との電気的な接続が切断されるなどして、機能が停止するようになっている。すなわち、長尺センサ２９は、図５に示すように、延長部３２が引き出されてＭＰＴ３０が伸ばされている場合に検知または非検知という２種類の状態と、延長部３２が収納されてＭＰＴ３０が縮められている場合に機能の停止、すなわち無効という１種類の状態との合計３種類の状態を制御部２１に示すようになっている。
【００３６】
以上に説明したように、幅センサ２８および長尺センサ２９は、ＭＰＴ３０に載置中の用紙のサイズを検知するようになっており、本発明の用紙サイズ検知手段を構成している。なお、制御部２１は、幅センサ２８および長尺センサ２９の検知結果に基づいて検知サイズを判断するようになっているが、検知サイズとして判断できるのはＡ３縦、Ａ４縦、Ａ４横などの特定のサイズのみである。例えば、本実施の形態に係る制御部２１は、１６Ｋ縦を検知サイズとして判断することができない。一方、制御部２１は、検知サイズとして判断することができるサイズの種類と比較して、非常に多くの種類のサイズを指定サイズとして受け付けることができる。
【００３７】
図６は、複合機２０のＭＰＴ３０の平面図であって、（ａ）はＭＰＴ３０が伸ばされている状態を示す図であり、（ｂ）はＭＰＴ３０が縮められている状態を示す図である。図６には、Ａ３縦の用紙３９ｂと、Ａ４横の用紙３９ｃとが示されている。
【００３８】
制御部２１は、検知サイズを判断する場合、長尺センサ２９が機能を停止しているときに長尺センサ２９の状態を非検知と同一に取り扱う。例えば、図６（ａ）に示すように、ＭＰＴ３０が伸ばされている場合に用紙３９ｂがＭＰＴ３０に載置されているとき、制御部２１は、Ａ３縦の用紙３９ｂの幅、すなわちＡ４横の用紙３９ｃの幅を幅センサ２８が検知し、長尺センサ２９が「検知」を示すので、Ａ３縦を検知サイズと判断する。図６（ａ）に示すように、ＭＰＴ３０が伸ばされている場合に用紙３９ｃがＭＰＴ３０に載置されているとき、制御部２１は、Ａ３縦の用紙３９ｂの幅、すなわちＡ４横の用紙３９ｃの幅を幅センサ２８が検知し、長尺センサ２９が「非検知」を示すので、Ａ４横を検知サイズと判断する。そして、図６（ｂ）に示すように、ＭＰＴ３０が縮められている場合に用紙３９ｂまたは用紙３９ｃがＭＰＴ３０に載置されているとき、制御部２１は、Ａ３縦の用紙３９ｂの幅、すなわちＡ４横の用紙３９ｃの幅を幅センサ２８が検知し、長尺センサ２９が機能を停止しており「無効」を示すので、Ａ４横を検知サイズと判断する。
【００３９】
次に、コンピュータネットワーク１０の動作について説明する。
【００４０】
利用者がホストコンピュータ４０から印刷の指示をＬＡＮ１１を介して複合機２０に送信すると、複合機２０の制御部２１は、ホストコンピュータ４０からの指示を通信部２５を介して受信する。この指示には、印刷が行われる用紙について利用者によるサイズの指定の情報が含まれている。
【００４１】
制御部２１は、このようにホストコンピュータ４０から送信されてきた指定サイズと、幅センサ２８および長尺センサ２９によって検知された用紙のサイズである検知サイズとを比較して、両者が同一であれば、プリンタ２７によって搬送される用紙のサイズである搬送サイズとして、指定サイズおよび検知サイズの何れかを採用し、ホストコンピュータ４０から送信されるデータをプリンタ２７によって用紙に印刷させる。
【００４２】
制御部２１は、指定サイズと、検知サイズとが異なる場合、ホストコンピュータ４０から送信されるデータをプリンタ２７によって用紙に印刷させずに、指定サイズと、検知サイズとが異なる旨の情報と、印刷を継続するか否かの問いとを複合機２０のモニタ２４やホストコンピュータ４０のモニタに表示させる。そして、印刷を継続する旨の指示が複合機２０の操作部２３やホストコンピュータ４０の操作部から入力されると、制御部２１は、図７に示す処理を開始する。
【００４３】
図７は、印刷を継続するときの複合機２０の動作のフローチャートである。
【００４４】
図７に示すように、複合機２０の制御部２１は、検知サイズと、指定サイズとが記憶部２２に記憶された対応関係であるか否かを判断する（ステップＳ６１）。例えば、記憶部２２が図３に示すサイズテーブル２２ａを記憶しているとき、Ａ４縦が検知サイズであり、１６Ｋ縦が指定サイズである場合に、制御部２１は、検知サイズと、指定サイズとが記憶部２２に記憶された対応関係であるとステップＳ６１において判断する。
【００４５】
制御部２１は、検知サイズと、指定サイズとが記憶部２２に記憶された対応関係であるとステップＳ６１において判断すると、搬送サイズとして指定サイズを採用して（ステップＳ６２）、図７に示す処理を終了する。例えば、記憶部２２が図３に示すサイズテーブル２２ａを記憶しているとき、Ａ４縦が検知サイズであり、１６Ｋ縦が指定サイズである場合に、制御部２１は、ステップＳ６２において搬送サイズとして指定サイズである１６Ｋ縦を採用して、図７に示す処理を終了する。
【００４６】
一方、制御部２１は、検知サイズと、指定サイズとが記憶部２２に記憶された対応関係ではないとステップＳ６１において判断すると、幅センサ２８によって検知された用紙の幅と、指定サイズの用紙の幅とが異なるか否かを判断する（ステップＳ６３）。例えば、Ａ４横が検知サイズであり、Ａ３縦が指定サイズである場合に、制御部２１は、幅センサ２８によって検知された用紙の幅と、指定サイズの用紙の幅とが同一であるとステップＳ６３において判断する。
【００４７】
制御部２１は、幅センサ２８によって検知された用紙の幅と、指定サイズの用紙の幅とが異なるとステップＳ６３において判断すると、搬送サイズとして検知サイズを採用して（ステップＳ６４）、図７に示す処理を終了する。例えば、Ａ４縦が検知サイズであり、Ａ３縦が指定サイズである場合、制御部２１は、ステップＳ６４において搬送サイズとして検知サイズであるＡ４縦を採用して、図７に示す処理を終了する。
【００４８】
一方、制御部２１は、幅センサ２８によって検知された用紙の幅と、指定サイズの用紙の幅とが同一であるとステップＳ６３において判断すると、長尺センサ２９の機能が停止しているか否かを判断する（ステップＳ６５）。
【００４９】
制御部２１は、長尺センサ２９の機能が停止しているとステップＳ６５において判断すると、搬送サイズとして指定サイズを採用して（ステップＳ６２）、図７に示す処理を終了する。例えば、Ａ４横が検知サイズであり、Ａ３縦が指定サイズである場合、たとえ検知サイズがＡ４横であったとしても、長尺センサ２９の機能が停止しているために検知サイズの信頼性が低いと考えられるので、制御部２１は、ステップＳ６２において搬送サイズとして指定サイズであるＡ３縦を採用して、図７に示す処理を終了する。
【００５０】
一方、制御部２１は、長尺センサ２９の機能が停止していないとステップＳ６５において判断すると、搬送サイズとして検知サイズを採用して（ステップＳ６４）、図７に示す処理を終了する。
【００５１】
例えば、Ａ４横が検知サイズであり、Ａ３縦が指定サイズである場合、たとえ指定サイズがＡ３縦であったとしても、ＭＰＴ３０に載置された用紙が長尺センサ２９まで届いていないと考えられるので、制御部２１は、ステップＳ６４において搬送サイズとして検知サイズであるＡ４横を採用して、図７に示す処理を終了する。つまり、制御部２１は、長尺センサ２９によって検知された長さより、指定サイズの用紙の搬送方向の長さが長いときに、搬送サイズとして検知サイズを採用する。
【００５２】
また、Ａ３縦が検知サイズであり、Ａ４横が指定サイズである場合、たとえ指定サイズがＡ４横であったとしても、ＭＰＴ３０に載置された用紙が長尺センサ２９まで届いていると考えられるので、制御部２１は、ステップＳ６４において搬送サイズとして検知サイズであるＡ３縦を採用して、図７に示す処理を終了する。つまり、制御部２１は、長尺センサ２９によって検知された長さより、指定サイズの用紙の搬送方向の長さが短いときに、搬送サイズとして検知サイズを採用する。
【００５３】
以上に説明したように、制御部２１は、所定のルール、すなわち、図７に示すルールに基づいて、検知サイズと、指定サイズとの何れか一方を搬送サイズとして判定するようになっており、本発明の用紙サイズ判定手段を構成している。
【００５４】
制御部２１は、図７に示す処理を終了すると、図７に示す処理において採用した搬送サイズで、ホストコンピュータ４０から送信されてきたデータをプリンタ２７によって用紙に印刷させる。
【００５５】
以上においては、利用者がホストコンピュータ４０から印刷の指示をＬＡＮ１１を介して複合機２０に送信する場合について説明したが、利用者が複合機２０の操作部２３を操作して原稿の複写を行う場合にも、制御部２１は、同様の処理を行う。
【００５６】
つまり、制御部２１は、利用者によって操作部２３から指定された用紙のサイズを受け付け、受け付けた指定サイズと、検知サイズとを比較して、両者が同一であれば、そのサイズを搬送サイズとして採用し、スキャナ２６に原稿から読み取らせた画像をプリンタ２７によって用紙に印刷させる。
【００５７】
一方、制御部２１は、指定サイズと、検知サイズとが異なる場合、スキャナ２６に原稿から読み取らせた画像をプリンタ２７によって用紙に印刷させずに、指定サイズと、検知サイズとが異なる旨の情報と、印刷を継続するか否かの問いとを複合機２０のモニタ２４に表示させる。そして、印刷を継続する旨の指示が複合機２０の操作部２３から入力されると、制御部２１は、指定サイズと、検知サイズとの何れか一方を図７に示すルールに基づいて搬送サイズとして採用し、スキャナ２６に原稿から読み取らせた画像をプリンタ２７によって用紙に印刷させる。
【００５８】
以上に説明したように、複合機２０は、ＭＰＴ３０に載置中に幅センサ２８および長尺センサ２９によって検知された用紙のサイズ、すなわち用紙の搬送前に検知された用紙のサイズに基づいて搬送サイズを判定するので、ジャムの発生を従来より低減することができる。
【００５９】
幅センサ２８および長尺センサ２９によって正しく検知できないサイズが制御部２１によって指定サイズとして受け付けられることができる場合、幅センサ２８および長尺センサ２９によって検知された検知サイズと、制御部２１によって受け付けられた指定サイズとが異なるときであっても、両者が略同等であるときには、そもそも幅センサ２８および長尺センサ２９によって正しく検知できないサイズが制御部２１によって指定サイズとして受け付けられただけである可能性がある。複合機２０は、検知サイズと、指定サイズとが記憶部２２に記憶された対応関係であるときに、指定サイズを搬送サイズとするので、そもそも幅センサ２８および長尺センサ２９によって正しく検知できないサイズが制御部２１によって指定サイズとして受け付けられた場合に、指定サイズを搬送サイズとすることができる。したがって、複合機２０は、ジャムの発生を抑えることができる。
【００６０】
長尺センサ２９の機能が停止している場合、幅センサ２８および長尺センサ２９は、正しいサイズで用紙を検知することができない。複合機２０は、長尺センサ２９の機能が停止しているときに、制御部２１によって受け付けられた指定サイズを搬送サイズとするので、正しいサイズで用紙を認識することができる。したがって、複合機２０は、ジャムの発生を抑えることができる。
【００６１】
ＭＰＴ３０が縮められているとき、ＭＰＴ３０には、搬送方向における長さが短い用紙が載置されている可能性が高い。しかしながら、ＭＰＴ３０が縮められているときであっても、ＭＰＴ３０には、搬送方向における長さが長い用紙が、搬送方向における長さの一部がＭＰＴ３０からはみ出した状態で、載置されている可能性もある。複合機２０は、ＭＰＴ３０が縮められているときに長尺センサ２９の機能が停止し、その結果、制御部２１によって受け付けられた指定サイズを搬送サイズとするので、正しいサイズで用紙を認識することができる。したがって、複合機２０は、ジャムの発生を抑えることができる。
【００６２】
長尺センサ２９が用紙の存在を検知することによって用紙の搬送方向における用紙の長さを検知する場合、用紙の搬送方向における用紙の実際の長さは、長尺センサ２９によって検知された長さより短い可能性が低い。複合機２０は、長尺センサ２９が用紙の存在を検知することによって用紙の搬送方向における用紙の長さを検知し、長尺センサ２９によって検知された長さより、制御部２１によって受け付けられた指定サイズの用紙の搬送方向の長さが短いときに、幅センサ２８および長尺センサ２９によって検知された検知サイズを搬送サイズとするので、正しいサイズで用紙を認識することができる。したがって、複合機２０は、ジャムの発生を抑えることができる。
【００６３】
なお、制御部２１は、指定サイズと、検知サイズとが異なる場合、プリンタ２７によって用紙に印刷させずに、印刷を継続するか否かを利用者に問うようになっているが、利用者に問うことなく、自動で図７に示す処理を実行して、印刷を継続するようになっていても良い。
【００６４】
また、制御部２１は、図７に示す処理に代えて、図８に示す処理を実行するようになっていても良い。
【００６５】
図８は、印刷を継続するときの複合機２０の動作のフローチャートであって、図７に示す例とは異なる例の図である。図８に示す処理は、図７に示す処理においてステップＳ６５がステップＳ６６およびステップＳ６７に置き換わった処理である。以下においては、ステップＳ６６およびステップＳ６７について説明する。
【００６６】
図８に示すように、制御部２１は、幅センサ２８によって検知された用紙の幅と、指定サイズの用紙の幅とが同一であるとステップＳ６３において判断すると、長尺センサ２９によって検知された用紙の搬送方向の長さより、指定サイズの用紙の搬送方向の長さが短いか否かを判断する（ステップＳ６６）。
【００６７】
制御部２１は、長尺センサ２９によって検知された用紙の搬送方向の長さより、指定サイズの用紙の搬送方向の長さが短いとステップＳ６６において判断すると、搬送サイズとして検知サイズを採用して（ステップＳ６４）、図８に示す処理を終了する。例えば、Ａ３縦が検知サイズであり、Ａ４横が指定サイズである場合、すなわち、長尺センサ２９によって検知された用紙の搬送方向の長さが４２０ｍｍであり、指定サイズの用紙の搬送方向の長さが２１０ｍｍである場合、たとえ指定サイズがＡ４横であったとしても、ＭＰＴ３０に載置された用紙が長尺センサ２９まで届いていると考えられるので、制御部２１は、ステップＳ６４において搬送サイズとして検知サイズであるＡ３縦を採用して、図８に示す処理を終了する。このように、ステップＳ６６の判断においては、指定サイズの用紙の搬送方向の長さは、長尺センサ２９が「非検知」と示すほど短いことが好ましい。
【００６８】
一方、制御部２１は、長尺センサ２９によって検知された用紙の搬送方向の長さより、指定サイズの用紙の搬送方向の長さが短くないとステップＳ６６において判断すると、長尺センサ２９によって検知された用紙の搬送方向の長さより、指定サイズの用紙の搬送方向の長さが長いか否かを判断する（ステップＳ６７）。
【００６９】
制御部２１は、長尺センサ２９によって検知された用紙の搬送方向の長さより、指定サイズの用紙の搬送方向の長さが長いとステップＳ６７において判断すると、搬送サイズとして検知サイズを採用して（ステップＳ６４）、図８に示す処理を終了する。例えば、長尺センサ２９が機能していてＡ４横が検知サイズであり、Ａ３縦が指定サイズである場合、すなわち、長尺センサ２９によって検知された用紙の搬送方向の長さが２１０ｍｍであり、指定サイズの用紙の搬送方向の長さが４２０ｍｍである場合、たとえ指定サイズがＡ３縦であったとしても、ＭＰＴ３０に載置された用紙が長尺センサ２９まで届いていないと考えられるので、制御部２１は、ステップＳ６４において搬送サイズとして検知サイズであるＡ４横を採用して、図８に示す処理を終了する。このように、ステップＳ６６の判断においては、指定サイズの用紙の搬送方向の長さは、長尺センサ２９が「検知」と示すほど長いことが好ましい。
【００７０】
一方、制御部２１は、長尺センサ２９によって検知された用紙の搬送方向の長さより、指定サイズの用紙の搬送方向の長さが長くないとステップＳ６７において判断すると、搬送サイズとして指定サイズを採用して（ステップＳ６２）、図８に示す処理を終了する。例えば、長尺センサ２９の機能が停止していてＡ４横が検知サイズであり、Ａ３縦が指定サイズである場合、すなわち、長尺センサ２９の機能が停止しているために長尺センサ２９によって検知された用紙の搬送方向の長さが実際にはない場合、たとえ検知サイズがＡ４横であったとしても、長尺センサ２９の機能が停止しているために検知サイズの信頼性が低いと考えられるので、制御部２１は、ステップＳ６２において搬送サイズとして指定サイズであるＡ３縦を採用して、図８に示す処理を終了する。
【００７１】
なお、本実施の形態においては、用紙トレイとしてＭＰＴ３０について説明しているが、本発明によればＭＰＴ以外の用紙トレイであっても良い。例えば、用紙トレイとして複合機２０に内蔵された用紙トレイを採用しても良い。
【００７２】
また、本発明の画像形成装置は、本実施の形態において複合機について説明しているが、コピー機、プリンタ、ファクシミリ機などの複合機以外の画像形成装置であっても良い。
【符号の説明】
【００７３】
２０  複合機（画像形成装置）
２１  制御部（サイズ指定受付手段、用紙サイズ判定手段）
２２  記憶部（対応関係記憶手段）
２２ａ  サイズテーブル（対応関係）
２７  プリンタ（搬送手段）
２８  幅センサ（用紙サイズ検知手段、搬送直交方向長検知手段）
２９  長尺センサ（用紙サイズ検知手段、搬送方向長検知手段）
３０  ＭＰＴ（用紙トレイ）
３９ａ、３９ｂ、３９ｃ  用紙
【図１】
2011075667.tif 000003
【図２】
2011075667.tif 000004
【図３】
2011075667.tif 000005
【図４】
2011075667.tif 000006
【図５】
2011075667.tif 000007
【図６】
2011075667.tif 000008
【図７】
2011075667.tif 000009
【図８】
2011075667.tif 000010